(57)【要約】【課題】専用の機器や操作を必要とせずに多チャンネルスピーカの音場キャリブレーションを実行することが可能な映像表示装置を提供する。【解決手段】立体視映像を閲覧するためのシャッタメガネとの間で通信を実行する通信部と、前記シャッタメガネに設けられるマイクロホンに収音させるリファレンス信号を生成し、複数のスピーカから放音させる音声出力制御部と、前記各スピーカからの前記リファレンス信号の放音時点の情報と前記シャッタメガネから前記通信部が受信する前記リファレンス信号の前記マイクロホンでの収音時点の情報とを用いて前記シャッタメガネと前記各スピーカとの間の距離をそれぞれ算出する距離演算部と、前記距離演算部が演算した前記シャッタメガネと前記各スピーカとの間の距離から前記シャッタメガネの位置における前記スピーカによる最適な音場を形成する音場形成部と、を備える、映像表示装置が提供される。【選択図】図１
2012156939.tif 000002
【特許請求の範囲】
【請求項１】
立体視映像を閲覧するためのシャッタメガネとの間で通信を実行する通信部と、
前記シャッタメガネに設けられるマイクロホンに収音させる、不可聴音域に含まれるリファレンス信号を生成し、複数のスピーカから放音させる音声出力制御部と、
前記各スピーカからの前記リファレンス信号の放音時点の情報と前記シャッタメガネから前記通信部が受信する前記リファレンス信号の前記マイクロホンでの収音時点の情報とを用いて前記シャッタメガネと前記各スピーカとの間の距離をそれぞれ算出する距離演算部と、
前記距離演算部が演算した前記シャッタメガネと前記各スピーカとの間の距離から前記シャッタメガネの位置における前記スピーカによる最適な音場を形成する音場形成部と、
を備える、映像表示装置。
【請求項２】
前記音声出力制御部は、前記マイクロホンから、該マイクロホンが着用された旨を前記通信部が受信すると前記リファレンス信号の生成を開始する、請求項１に記載の映像表示装置。
【請求項３】
前記シャッタメガネが複数存在する場合は、前記音場形成部は、前記シャッタメガネに対する重み付けの有無に応じて最適な音場の形成を変化させる、請求項１に記載の映像表示装置。
【請求項４】
前記音場形成部は、前記シャッタメガネに重み付けが設定されている場合、最も重い重みが設定されているシャッタメガネが前記各スピーカによる最適な音場を形成できる範囲に存在することを条件に、該範囲に含まれるシャッタメガネの数が最大となるように最適な音場を形成する、請求項３に記載の映像表示装置。
【請求項５】
前記音場形成部は、前記シャッタメガネに重み付けが設定されていない場合、前記各スピーカによる最適な音場を形成できる範囲に含まれるシャッタメガネの数が最大となるように最適な音場を形成する、請求項３に記載の映像表示装置。
【請求項６】
立体視映像を表示する映像表示装置との間で通信を実行する通信部と、
前記映像表示装置に接続される複数のスピーカから放音される、不可聴音域に含まれるリファレンス信号を収音するマイクロホンと、
を備え、
前記通信部は、前記マイクロホンが前記リファレンス信号を集音した時点の情報を前記映像表示装置に対して送信する、シャッタメガネ。
【請求項７】
前記映像表示装置から前記通信部が受信する前記各スピーカからの前記リファレンス信号の放音時点の情報と前記リファレンス信号の前記マイクロホンでの収音時点の情報とを用いて前記シャッタメガネと前記各スピーカとの間の距離をそれぞれ算出する距離演算部をさらに備え、
前記リファレンス信号を集音した時点の情報に替えて前記距離演算部で算出された前記シャッタメガネと前記各スピーカとの間の距離の情報を前記通信部から前記映像表示装置に対して送信する、請求項６に記載のシャッタメガネ。
【請求項８】
前記マイクロホンは、テンプル部分に設けられる、請求項６に記載のシャッタメガネ。
【請求項９】
前記マイクロホンは、左右の液晶シャッタの間に設けられる、請求項６に記載のシャッタメガネ。
【請求項１０】
立体視映像を表示する映像表示装置と、前記映像表示装置が表示する立体視映像を閲覧するためのシャッタメガネと、を備え、
前記映像表示装置は、
立体視映像を閲覧するためのシャッタメガネとの間で通信を実行する通信部と、
前記シャッタメガネに設けられるマイクロホンに収音させる、不可聴音域に含まれるリファレンス信号を生成し、複数のスピーカから放音させる音声出力制御部と、
前記距離演算部が演算した前記シャッタメガネと前記各スピーカとの間の距離から前記シャッタメガネの位置における前記スピーカによる最適な音場を形成する音場形成部と、
を備え、
前記シャッタメガネは、
前記映像表示装置との間で通信する通信部と、
前記映像表示装置に接続される複数のスピーカから放音される前記リファレンス信号を収音するマイクロホンと、
を備え、
前記映像表示装置または前記シャッタメガネの少なくともいずれかは、前記各スピーカからの前記リファレンス信号の放音時点の情報と前記リファレンス信号の前記マイクロホンでの収音時点の情報とを用いて前記シャッタメガネと前記各スピーカとの間の距離をそれぞれ算出する距離演算部を備え、
前記映像表示装置は、前記距離演算部が演算した前記シャッタメガネと前記各スピーカとの間の距離から前記シャッタメガネの位置における前記スピーカによる最適な音場を形成する音場形成部を備える、映像表示システム。
【発明の詳細な説明】
【技術分野】
【０００１】
本発明は、映像表示装置、シャッタメガネ及び映像表示システムに関する。
【背景技術】
【０００２】
映像と共に、臨場感のある音場を形成するために、複数のスピーカから音声を出力する映像表示システムが広く普及している。複数のスピーカから出力さえる音声から形成される音場は、音声の聴取者の位置によって適切に形成する必要があり、かかる映像表示システムは、視聴する人物の位置に応じた音場キャリブレーションを実行する必要がある。多チャンネルスピーカを有する映像表示システムの音場キャリブレーションについての技術としては、例えば特許文献１がある。
【先行技術文献】
【特許文献】
【０００３】
【特許文献１】特開２００６−２９４０３２号公報
【発明の概要】
【発明が解決しようとする課題】
【０００４】
しかし、従来の多チャンネルスピーカの音場キャリブレーションにおいては、専用の機器やユーザによる操作が必要になるという問題があった。また、多チャンネルスピーカの音場キャリブレーションには、スピーカからのリファレンス信号をマイクロホンで収音する必要があるが、コンテンツ視聴中に音場キャリブレーションを実行すると、リファレンス信号がコンテンツ視聴の妨げになってしまうという問題があった。
【０００５】
そこで、本発明は、上記問題に鑑みてなされたものであり、本発明の目的とするところは、映像を立体視するためのシャッタメガネと映像表示装置との間の双方向通信を用い、またキャリブレーションに不可聴音域のリファレンス信号を用いることで、専用の機器や操作を必要とせずに多チャンネルスピーカの音場キャリブレーションを実行することが可能な、新規かつ改良された映像表示装置、シャッタメガネ及び映像表示システムを提供することにある。
【課題を解決するための手段】
【０００６】
上記課題を解決するために、本発明のある観点によれば、立体視映像を閲覧するためのシャッタメガネとの間で通信を実行する通信部と、前記シャッタメガネに設けられるマイクロホンに収音させる、不可聴音域に含まれるリファレンス信号を生成し、複数のスピーカから放音させる音声出力制御部と、前記各スピーカからの前記リファレンス信号の放音時点の情報と前記シャッタメガネから前記通信部が受信する前記リファレンス信号の前記マイクロホンでの収音時点の情報とを用いて前記シャッタメガネと前記各スピーカとの間の距離をそれぞれ算出する距離演算部と、前記距離演算部が演算した前記シャッタメガネと前記各スピーカとの間の距離から前記シャッタメガネの位置における前記スピーカによる最適な音場を形成する音場形成部と、を備える、映像表示装置が提供される。
【０００７】
前記音声出力制御部は、前記マイクロホンから、該マイクロホンが着用された旨を前記通信部が受信すると前記リファレンス信号の生成を開始するようにしてもよい。
【０００８】
前記シャッタメガネが複数存在する場合は、前記音場形成部は、前記シャッタメガネに対する重み付けの有無に応じて最適な音場の形成を変化させるようにしてもよい。
【０００９】
前記音場形成部は、前記シャッタメガネに重み付けが設定されている場合、最も重い重みが設定されているシャッタメガネが前記各スピーカによる最適な音場を形成できる範囲に存在することを条件に、該範囲に含まれるシャッタメガネの数が最大となるように最適な音場を形成するようにしてもよい。
【００１０】
前記音場形成部は、前記シャッタメガネに重み付けが設定されていない場合、前記各スピーカによる最適な音場を形成できる範囲に含まれるシャッタメガネの数が最大となるように最適な音場を形成するようにしてもよい。
【００１１】
また、上記課題を解決するために、本発明の別の観点によれば、立体視映像を表示する映像表示装置との間で通信を実行する通信部と、前記映像表示装置に接続される複数のスピーカから放音される、不可聴音域に含まれるリファレンス信号を収音するマイクロホンと、を備え、前記通信部は、前記マイクロホンが前記リファレンス信号を集音した時点の情報を前記映像表示装置に対して送信する、シャッタメガネが提供される。
【００１２】
前記映像表示装置から前記通信部が受信する前記各スピーカからの前記リファレンス信号の放音時点の情報と前記リファレンス信号の前記マイクロホンでの収音時点の情報とを用いて前記シャッタメガネと前記各スピーカとの間の距離をそれぞれ算出する距離演算部をさらに備え、前記リファレンス信号を集音した時点の情報に替えて前記距離演算部で算出された前記シャッタメガネと前記各スピーカとの間の距離の情報を前記通信部から前記映像表示装置に対して送信するようにしてもよい。
【００１３】
前記マイクロホンは、テンプル部分に設けられるようにしてもよい。
【００１４】
前記マイクロホンは、左右の液晶シャッタの間に設けられるようにしてもよい。
【００１５】
また、上記課題を解決するために、本発明の別の観点によれば、立体視映像を表示する映像表示装置と、前記映像表示装置が表示する立体視映像を閲覧するためのシャッタメガネと、を備え、前記映像表示装置は、立体視映像を閲覧するためのシャッタメガネとの間で通信を実行する通信部と、前記シャッタメガネに設けられるマイクロホンに収音させる、不可聴音域に含まれるリファレンス信号を生成し、複数のスピーカから放音させる音声出力制御部と、前記距離演算部が演算した前記シャッタメガネと前記各スピーカとの間の距離から前記シャッタメガネの位置における前記スピーカによる最適な音場を形成する音場形成部と、を備え、前記シャッタメガネは、前記映像表示装置との間で通信する通信部と、前記映像表示装置に接続される複数のスピーカから放音されるリファレンス信号を収音するマイクロホンと、を備え、前記映像表示装置または前記シャッタメガネのいずれかは、前記各スピーカからの前記リファレンス信号の放音時点の情報と前記リファレンス信号の前記マイクロホンでの収音時点の情報とを用いて前記シャッタメガネと前記各スピーカとの間の距離をそれぞれ算出する距離演算部を備え、前記映像表示装置は、前記距離演算部が演算した前記シャッタメガネと前記各スピーカとの間の距離から前記シャッタメガネの位置における前記スピーカによる最適な音場を形成する音場形成部を備える、映像表示システムが提供される。
【発明の効果】
【００１６】
以上説明したように本発明によれば、映像を立体視するためのシャッタメガネと映像表示装置との間の双方向通信を用い、またキャリブレーションに不可聴音域のリファレンス信号を用いることで、専用の機器や操作を必要とせずに多チャンネルスピーカの音場キャリブレーションを実行することが可能な、新規かつ改良された映像表示装置、シャッタメガネ及び映像表示システムを提供することにある。
【図面の簡単な説明】
【００１７】
【図１】本発明の第１の実施形態にかかる映像表示システム１０に含まれる映像表示装置１００及びシャッタメガネ２００の外観を示す説明図である。
【図２】本発明の第１の実施形態にかかる映像表示装置１００及びシャッタメガネ２００の機能構成を示す説明図である。
【図３】フィルタ部１３５の構成を示す説明図である。
【図４】フィルタ部２３５の構成を示す説明図である。
【図５】本発明の第１の実施形態にかかる映像表示装置１００による音場キャリブレーション処理を示す流れ図である。
【図６】本発明の第１の実施形態にかかる映像表示装置１００による、スピーカ１１０とシャッタメガネ２００との間の距離の計算処理を示す流れ図である。
【図７】本発明の第２の実施形態にかかる映像表示装置１００’及びシャッタメガネ２００’の機能構成を示す説明図である。
【図８】本発明の第２の実施形態にかかる映像表示装置１００’及びシャッタメガネ２００’の動作について示す流れ図である。
【図９】各実施形態におけるシャッタメガネでのマイクロホン２１０の設置例を示す説明図である。
【図１０】各実施形態におけるシャッタメガネでのマイクロホン２１０の設置例を示す説明図である。
【図１１】シャッタメガネ２００に重み付け設定がされている場合の音場調整について示す説明図である。
【図１２】シャッタメガネ２００に重み付け設定がされていない場合の音場調整について示す説明図である。
【図１３】各実施形態にかかる映像表示装置１００及びシャッタメガネ２００の動作について示す流れ図である。
【発明を実施するための形態】
【００１８】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００１９】
なお、説明は以下の順序で行うものとする。
＜１．第１の実施形態＞
［１−１．映像表示システムの構成例］
［１−２．映像表示装置及びシャッタメガネの機能構成］
［１−３．映像表示装置及びシャッタメガネの動作］
＜２．第２の実施形態＞
［２−１．映像表示装置及びシャッタメガネの機能構成］
［２−２．映像表示装置及びシャッタメガネの動作］
＜３．マイクロホンの位置＞
＜４．複数ユーザの場合の音場同定処理＞
＜５．まとめ＞
【００２０】
＜１．第１の実施形態＞
［１−１．映像表示システムの構成例］
以下において、本発明の第１の実施形態にかかる映像表示システムの構成について説明する。まず、本発明の第１の実施形態にかかる映像表示システムに含まれる映像表示装置及びシャッタメガネの外観例について説明する。図１は、本発明の第１の実施形態にかかる映像表示システム１０に含まれる映像表示装置１００及びシャッタメガネ２００の外観を示す説明図である。以下、図１を用いて本発明の第１の実施形態にかかる映像表示システムに含まれる映像表示装置１００及びシャッタメガネ２００の外観例について説明する。
【００２１】
図１に示した映像表示装置１００は、画像の表示が行われる画像表示部１０１を備えている。映像表示装置１００は、通常の画像を画像表示部１０１に表示するだけではなく、観察者に立体的な画像として知覚させる三次元画像を画像表示部１０１に表示することが可能な装置である。
【００２２】
画像表示部１０１は、光源、液晶パネル、及び液晶パネルを挟んで設けられる一対の偏光板を含んで構成される。光源からの光は液晶パネル及び偏光板を透過することで所定の方向に偏光された光となる。
【００２３】
シャッタメガネ２００は、例えば液晶シャッタからなる右目用画像透過部２１２及び左目用画像透過部２１４を含んで構成されている。シャッタメガネ２００は、映像表示装置１００から送出される信号に応じて、右目用画像透過部２１２及び左目用画像透過部２１４の開閉動作を実行する。観察者は、シャッタメガネ２００の右目用画像透過部２１２及び左目用画像透過部２１４を通して、画像表示部１０１から発する光を見ることで、画像表示部１０１に表示される画像を立体的な画像として知覚することが出来る。
【００２４】
一方、通常の画像が画像表示部１０１に表示されている場合は、観察者はそのまま画像表示部１０１から出射される光を見ることで、通常の画像として知覚することができる。
【００２５】
なお、図１では、映像表示装置１００をテレビ受像機として図示していたが、本発明においては、表示装置の形状はかかる例に限定されないことは言うまでも無い。例えば、本発明の表示装置は、例えば、パーソナルコンピュータその他の電子機器と接続して用いられるモニタであってもよい。
【００２６】
映像表示装置１００には、複数のスピーカが接続され、当該複数のスピーカから出力される音声により、臨場感のある音場を形成することができる。本実施形態では、映像表示装置１００には、６つのスピーカ１１０ａ〜１１０ｆが接続されており、スピーカ１１０ａ〜１１０ｆによっていわゆる５．１チャンネルのサラウンドシステムが構成される。もちろん、本発明においては、スピーカの位置及び数については、かかる例に限定されないことは言うまでもない。
【００２７】
なお、図１に示した例では、スピーカ１１０ａはセンタースピーカを、スピーカ１１０ｂは左フロントスピーカを、スピーカ１１０ｃは右フロントスピーカを、スピーカ１１０ｂは左リアスピーカを、スピーカ１１０ｅは右リアスピーカを、スピーカ１１０ｆはサブウーファを表している。
【００２８】
シャッタメガネ２００は、マイクロホン２１０を備えている。このマイクロホン２１０は、映像表示装置１００に接続されたスピーカ１１０ａ〜１１０ｆから発せられる音声を収音することができ、特に、６つのスピーカ１１０ａ〜１１０ｆによる音場キャリブレーション処理が行われる際に、６つのスピーカ１１０ａ〜１１０ｆからそれぞれ送信されるリファレンス信号を収音する。
【００２９】
以上、本発明の第１の実施形態にかかる映像表示装置１００の外観について説明した。次に、本発明の第１の実施形態にかかる映像表示装置１００及びシャッタメガネ２００の機能構成について説明する。
【００３０】
［１−２．映像表示装置及びシャッタメガネの機能構成］
図２は、本発明の第１の実施形態にかかる映像表示装置１００及びシャッタメガネ２００の機能構成を示す説明図である。以下、図２を用いて、本発明の第１の実施形態にかかる映像表示装置１００及びシャッタメガネ２００の機能構成について説明する。
【００３１】
図２に示したように、本発明の第１の実施形態にかかる映像表示装置１００は、発振回路１２０と、音声出力制御部１３０と、フィルタ部１３５と、カウンタ１４０と、タイミング保持部１５０と、ＲＦ通信部１６０と、距離演算部１７０と、音場同定演算部１８０と、を含んで構成される。なお、図２では、図１に示した６つのスピーカ１１０ａ〜１１０ｆを総称するものとしてスピーカ１１０を図示している。
【００３２】
また、図２に示したように、本発明の第１の実施形態にかかるシャッタメガネ２００は、発振回路２２０と、制御部２３０と、フィルタ部２３５と、カウンタ２４０と、センサ２５０と、ＲＦ通信部２６０と、を含んで構成される。
【００３３】
まず、映像表示装置１００の機能構成について説明する。発振回路１２０は、所定の周波数で発振するクロック（ＣＬＫ）を生成して出力するものである。発振回路１２０が生成して出力するクロックは、カウンタ１４０に供給される。発振回路１２０が生成して出力するクロックは、シャッタメガネ２００側の発振回路２２０が生成して出力するクロックと同期が取れている。従って、映像表示装置１００のカウンタ１４０と、シャッタメガネ２００のカウンタ２４０とは同タイミングで同じ値がカウントされる。
【００３４】
音声出力制御部１３０は、映像表示装置１００で表示・再生されるコンテンツの音声をスピーカ１１０から出力するための音声信号の生成や、生成した音声信号のスピーカ１１０への出力タイミングなどを制御するものである。本発明の第１の実施形態にかかる映像表示システム１０を用いて、スピーカ１１０の音場キャリブレーションが行われる際には、音声出力制御部１３０は音場キャリブレーションのためのリファレンス信号を生成して、フィルタ部１３５を介してスピーカ１１０へ供給する。スピーカ１１０は、フィルタ部１３５を介して音声出力制御部１３０からの供給を受けたリファレンス信号に基づいて放音する。
【００３５】
本実施形態では、音声出力制御部１３０は、スピーカ１１０の音場キャリブレーションが行われる際に、人間の耳には聞こえない、または聞こえにくい不可聴音域に含まれるリファレンス信号を生成する。これにより、映像表示装置１００は、ユーザに音場キャリブレーション処理が行われていることを意識させずに音場キャリブレーション処理を実行することが可能になる。なお、スピーカ１１０の音場キャリブレーションが行われる際に、音声出力制御部１３０は、リファレンス信号に加えて、映像表示装置１００で再生されるコンテンツの音声信号もスピーカ１１０へ供給することができる。
【００３６】
フィルタ部１３５は、所定の周波数帯域の信号を遮断したり通過させたりするフィルタを備えるものである。フィルタ部１３５は、スピーカ１１０の数に応じて設けられる。図３は、フィルタ部１３５の構成例を示す説明図である。図３に示したように、フィルタ部１３５は、帯域通過フィルタ１３６と、帯域遮断フィルタ１３７と、スイッチ１３８と、を含んで構成される。
【００３７】
帯域通過フィルタ１３６は、スピーカ１１０の音場キャリブレーションが行われる際に、音声出力制御部１３０が生成した不可聴音域のリファレンス信号の周波数帯域のみを通過させるフィルタである。
【００３８】
帯域遮断フィルタ１３７は、スピーカ１１０の音場キャリブレーションが行われる際に、音声出力制御部１３０が生成した不可聴音域のリファレンス信号の周波数帯域のみを遮断させるフィルタである。
【００３９】
スイッチ１３８は、音声出力制御部１３０が生成した音声信号の行き先を切り替えるものである。スピーカ１１０の音場キャリブレーションを行う際には、スイッチ１３８は端子Ａに切り替わり、音声出力制御部１３０から出力された音声信号は帯域通過フィルタ１３６を通過し、音声出力制御部１３０が生成した不可聴音域のリファレンス信号のみが通過してスピーカ１１０に供給される。
【００４０】
音場キャリブレーション処理のためにリファレンス信号を放音したスピーカ１１０の他のスピーカ１１０でリファレンス信号を放音することで音場キャリブレーション処理を行う際には、スイッチ１３８は端子Ｃに切り替わり、音声出力制御部１３０から出力された音声信号は帯域遮断フィルタ１３７を通過し、音声出力制御部１３０が生成した不可聴音域のリファレンス信号のみが遮断されスピーカ１１０に供給される。
【００４１】
そして、スピーカ１１０の音場キャリブレーションを行っていない場合には、スイッチ１３８は端子Ｂに切り替わり、音声出力制御部１３０から出力された音声信号はそのままスピーカ１１０に供給される。
【００４２】
このように、スピーカ１１０で音場キャリブレーションを行っているか否かで、音声出力制御部１３０が生成した音声信号の行き先をスイッチ１３８で切り替えることにより、映像表示装置１００は、キャリブレーション処理の対象となるスピーカ１１０からのみ、リファレンス信号を放音させることができる。
【００４３】
なお、スイッチ１３８の端子の切り替えは、例えば、リファレンス信号を生成して出力する音声出力制御部１３０が行うようにしても良いが、かかる例に限定されないことは言うまでもない。
【００４４】
カウンタ１４０は、発振回路１２０から供給されるクロックに基づいてカウントを行うものである。カウンタ１４０のカウント値はシャッタメガネ２００のカウンタ２４０と同タイミングで同じ値がカウントされ、カウンタ１４０、２４０は同期が取られている。カウンタ１４０、２４０のカウント値は、映像表示装置１００のＲＦ通信部１６０と、シャッタメガネ２００のＲＦ通信部２６０との間の無線通信によってやり取りされる。
【００４５】
タイミング保持部１５０は、カウンタ１４０の値を一時的に保持するものであり、具体的には、スピーカ１１０からリファレンス信号が放音された時点でのカウンタ１４０の値を保持するものである。タイミング保持部１５０は、スピーカ１１０からリファレンス信号が放音された時点でのカウンタ１４０の値を保持し、距離演算部１７０に送る。
【００４６】
ＲＦ通信部１６０は、シャッタメガネ２００のＲＦ通信部２６０との間でＲＦ（Ｒａｄｉｏ  Ｆｒｅｑｕｅｎｃｙ）無線通信を行うものある。ＲＦ通信部１６０は、映像表示装置１００が立体視映像を表示する際に、シャッタメガネ２００に対して液晶シャッタの開閉タイミングを指示する他、スピーカ１１０の音場キャリブレーション処理を実行する際には、シャッタメガネ２００のＲＦ通信部２６０に対してキャリブレーション処理の開始を指示する旨を送信する。
【００４７】
そして、ＲＦ通信部１６０は、シャッタメガネ２００のＲＦ通信部２６０から、シャッタメガネ２００に設けられたマイクロホン２１０がリファレンス信号を収音したタイミングのカウンタ２４０の値を受信する。この際、ＲＦ通信部１６０は、ＲＦ通信部２６０から受信した、マイクロホン２１０がリファレンス信号を収音したタイミングのカウンタ２４０の値を距離演算部１７０に送る。
【００４８】
距離演算部１７０は、スピーカ１１０と、シャッタメガネ２００との間の距離を演算するものである。具体的には、距離演算部１７０は、タイミング保持部１５０から送られてくる、スピーカ１１０からリファレンス信号が放音された時点でのカウンタ１４０の値と、ＲＦ通信部１６０から送られてくる、マイクロホン２１０がリファレンス信号を収音したタイミングのカウンタ２４０の値とを用いて、スピーカ１１０と、シャッタメガネ２００との間の距離を演算する。カウンタ１４０、２４０は、上述したように、同タイミングで同じ値がカウントされるので、スピーカ１１０のからの放音時のカウンタの値と、マイクロホン２１０での収音時のカウンタの値とを比較することで、距離演算部１７０は、スピーカ１１０と、シャッタメガネ２００との間の距離を算出することができる。距離演算部１７０は、スピーカ１１０と、シャッタメガネ２００との間の距離を演算すると、演算した距離の情報を音場同定演算部１８０に送る。
【００４９】
音場同定演算部１８０は、距離演算部１７０が演算した、スピーカ１１０とシャッタメガネ２００との間の距離に基づいて、スピーカ１１０から出力される音声が、シャッタメガネ２００を着用したユーザにとって適切な音場となるようにスピーカ１１０の音声出力レベルを演算するものである。
【００５０】
次に、シャッタメガネ２００の機能構成について説明する。発振回路２２０は、所定の周波数で発振するクロック（ＣＬＫ）を生成して出力するものである。発振回路２２０が生成して出力するクロックは、カウンタ２４０に供給される。上述したように、発振回路２２０が生成して出力するクロックは、映像表示装置１００側の発振回路１２０が生成して出力するクロックと同期が取れている。従って、映像表示装置１００のカウンタ１４０と、シャッタメガネ２００のカウンタ２４０とは同タイミングで値がカウントされる。
【００５１】
制御部２３０は、シャッタメガネ２００の動作を制御するものであり、本実施形態にかかるシャッタメガネ２００では、制御部２３０は例えばフィルタ部２３５の動作を制御する。
【００５２】
フィルタ部２３５は、マイクロホン２１０が集音した音から生成される音声信号に対し、所定の周波数帯域を遮断したり通過させたりするものである。図４は、フィルタ部２３５の構成例を示す説明図である。図４に示したように、フィルタ部２３５は、帯域通過フィルタ２３６と、スイッチ２３８と、を含んで構成される。
【００５３】
帯域通過フィルタ２３６は、スピーカ１１０の音場キャリブレーションが行われる際に、音声出力制御部１３０が生成してマイクロホン２１０が収音した、不可聴音域のリファレンス信号の周波数帯域のみを通過させるフィルタである。
【００５４】
スイッチ２３８は、マイクロホン２１０が収音した音声信号の行き先を切り替えるものである。スピーカ１１０の音場キャリブレーションを行う際には、スイッチ２３８は端子Ａに切り替わり、マイクロホン２１０が収音した音声信号は帯域通過フィルタ２３６を通過し、音声出力制御部１３０が生成した不可聴音域のリファレンス信号のみが通過する。
【００５５】
スピーカ１１０の他のスピーカで音場キャリブレーションを行う際、及びスピーカ１１０の音場キャリブレーションを行っていない際には、スイッチ２３８は端子Ｂに切り替わり、マイクロホン２１０が収音した音声信号はそのままフィルタ部２３５を通過する。
【００５６】
カウンタ２４０は、発振回路２２０から供給されるクロックに基づいてカウントを行うものである。上述したように、カウンタ２４０のカウント値は映像表示装置１００のカウンタ１４０と同タイミングでカウントされ、カウンタ１４０、２４０は同期が取られている。カウンタ１４０、２４０のカウント値は、映像表示装置１００のＲＦ通信部１６０と、シャッタメガネ２００のＲＦ通信部２６０との間の無線通信によってやり取りされる。
【００５７】
センサ部２５０は、シャッタメガネ２００がユーザに着用されたことを検知するためのものである。センサ部２５０は、例えばシャッタメガネのテンプル部分に設けられていても良い。センサ部２５０によって、シャッタメガネ２００がユーザに着用されたことが検知されると、センサ部２５０は、シャッタメガネ２００が着用されたことを示す情報をＲＦ通信部２６０に送り、ＲＦ通信部２６０は当該情報を無線で映像表示装置１００に送信することができる。そして、シャッタメガネ２００から、シャッタメガネ２００が着用されたことを示す情報を受信した映像表示装置１００は、当該情報の受信をトリガとして、音場キャリブレーション処理を開始することができる。
【００５８】
ＲＦ通信部２６０は、映像表示装置１００のＲＦ通信部１６０との間でＲＦ（Ｒａｄｉｏ  Ｆｒｅｑｕｅｎｃｙ）無線通信を行うものある。ＲＦ通信部２６０は、映像表示装置１００が立体視映像を表示する際に、映像表示装置１００から液晶シャッタの開閉タイミングの指示を受信する他、映像表示装置１００がスピーカ１１０の音場キャリブレーション処理を実行する際には、映像表示装置１００のＲＦ通信部１６０から、キャリブレーション処理の開始を指示する旨を受信する。
【００５９】
そして、ＲＦ通信部２６０は、映像表示装置１００のＲＦ通信部１６０へ、シャッタメガネ２００に設けられたマイクロホン２１０がリファレンス信号を収音したタイミングのカウンタ２４０の値を送信する。
【００６０】
以上、本発明の第１の実施形態にかかる映像表示装置１００及びシャッタメガネ２００の機能構成について説明した。次に、本発明の第１の実施形態にかかる映像表示装置１００及びシャッタメガネ２００の動作について説明する。
【００６１】
［１−３．映像表示装置及びシャッタメガネの動作］
まず、本発明の第１の実施形態にかかる映像表示装置１００による音場キャリブレーション処理について説明する。図５は、本発明の第１の実施形態にかかる映像表示装置１００による音場キャリブレーション処理を示す流れ図である。以下、図５を用いて本発明の第１の実施形態にかかる映像表示装置１００による音場キャリブレーション処理について説明する。
【００６２】
本実施形態にかかる映像表示装置１００は、シャッタメガネ２００がユーザに着用されたことをトリガとして音場キャリブレーション処理を開始するものとする。まず映像表示装置１００は、シャッタメガネ２００から、シャッタメガネ２００がユーザに着用されたことを検知した旨の情報を受信する（ステップＳ１０１）。映像表示装置１００は、当該情報の受信により音場キャリブレーション処理を開始する。
【００６３】
上記ステップＳ１０１で、映像表示装置１００が、シャッタメガネ２００から、シャッタメガネ２００がユーザに着用されたことを検知した旨の情報を受信すると、まず、音声出力制御部１３０がリファレンス信号を生成して、スピーカ１１０へ出力する（ステップＳ１０２）。
【００６４】
次に、キャリブレーション対象ではないスピーカ１１０からのリファレンス信号の放音を防ぐために、音声出力制御部１３０は、キャリブレーション対象ではないスピーカ１１０に対応するフィルタ部１３５のスイッチ１３８を端子Ｃに切り替えることで、リファレンス信号が含まれる音域を帯域遮断フィルタ１３７でカットする（ステップＳ１０３）。また、キャリブレーション対象のスピーカ１１０は、リファレンス信号のみを放音する（ステップＳ１０４）。映像表示装置１００は、キャリブレーション対象のスピーカ１１０に対応するフィルタ部１３５のスイッチ１３８を、音声出力制御部１３０が端子Ａに切り替えて、リファレンス信号が含まれる音域のみを帯域通過フィルタ１３６で通過させることで、キャリブレーション対象のスピーカ１１０からリファレンス信号のみを放音させることが可能となる。
【００６５】
キャリブレーション対象のスピーカ１１０がリファレンス信号を放音すると、シャッタメガネ２００は、マイクロホン２１０でリファレンス信号の収音を行う（ステップＳ１０５）。音場キャリブレーションが行われる際は、シャッタメガネ２００は、フィルタ部２３５のスイッチ２３８を端子Ａに切り替え、マイクロホン２１０が収音した音声信号の内、音声出力制御部１３０が生成した不可聴音域のリファレンス信号のみを通過させる。シャッタメガネ２００は、マイクロホン２１０でリファレンス信号を収音すると、収音したことを知らせる収音情報を、ＲＦ通信部２６０から無線で映像表示装置１００へ送信する（ステップＳ１０６）。映像表示装置１００は、シャッタメガネ２００からの収音情報の受信により、キャリブレーション対象のスピーカ１１０とシャッタメガネ２００との間の距離を計算で求めることができる。
【００６６】
続いて映像表示装置１００は、全てのスピーカ１１０でキャリブレーション処理が終了したかどうかを判断する（ステップＳ１０７）。ステップＳ１０７の判断の結果、キャリブレーション処理の対象となるスピーカ１１０がまだ残っていれ-ば、上記ステップＳ１０３に戻り、キャリブレーション対象ではないスピーカ１１０からのリファレンス信号の放音を防ぐために、フィルタ部１３５のスイッチ１３８を端子Ｃに切り替えることで、リファレンス信号が含まれる音域を帯域遮断フィルタ１３７でカットする。
【００６７】
一方、ステップＳ１０７の判断の結果、全てのスピーカ１１０でキャリブレーション処理が終了していれば、続いて音場同定演算部１８０が、キャリブレーション対象のスピーカ１１０とシャッタメガネ２００との間の距離情報に基づいて、ユーザの視聴位置を算出するとともに、音場同定処理を実行して、ユーザの視聴位置に適した音場を形成する（ステップＳ１０８）。
【００６８】
上述した一連の流れにより、本発明の第１の実施形態にかかる映像表示装置１００は、ユーザがシャッタメガネ２００を着用したことをトリガとして、スピーカ１１０の音場キャリブレーション処理を開始することができる。そして、スピーカ１１０からのリファレンス信号の放音と、シャッタメガネ２００に設けられたマイクロホン２１０でのリファレンス信号の収音とを繰り返すことで、シャッタメガネ２００の位置を把握し、シャッタメガネ２００の位置に応じた適切な音場形成を可能にすることができる。
【００６９】
なお、音場キャリブレーション処理の開始タイミングは、シャッタメガネ２００の着用に限定されないことは言うまでもない。例えば、映像表示装置１００は、画像表示部１０１に表示されるコンテンツを解析して音場キャリブレーション処理の開始タイミングを決定してもよい。音場キャリブレーション処理時には、キャリブレーション対象のスピーカ１１０からは可聴音域の放音が止まる。そのため、例えばコマーシャル放送時や、コンテンツが無音になっている時間等の、コンテンツの視聴に影響を与えないタイミングで音場キャリブレーション処理を開始するようにしてもよい。
【００７０】
以上、本発明の第１の実施形態にかかる映像表示装置１００による音場キャリブレーション処理について説明した。次に、本発明の第１の実施形態にかかる映像表示装置１００による、スピーカ１１０とシャッタメガネ２００との間の距離の計算処理について説明する。
【００７１】
図６は、本発明の第１の実施形態にかかる映像表示装置１００による、スピーカ１１０とシャッタメガネ２００との間の距離の計算処理を示す流れ図である。以下、図６を用いて本発明の第１の実施形態にかかる映像表示装置１００による、スピーカ１１０とシャッタメガネ２００との間の距離の計算処理について説明する。
【００７２】
まず映像表示装置１００は、ＲＦ通信部１６０から、無線によって音場同定開始通知をシャッタメガネ２００に対して送信する（ステップＳ１１１）。シャッタメガネ２００は、映像表示装置１００から無線送信された音場同定開始通知を受信する（ステップＳ１１２）。
【００７３】
次に、映像表示装置１００は、キャリブレーション対象のスピーカ１１０からリファレンス信号を放音させる（ステップＳ１１３）。キャリブレーション対象のスピーカ１１０からのリファレンス信号の送信処理については上述した通りであるので、詳細な説明は省略する。
【００７４】
上記ステップＳ１１３で、キャリブレーション対象のスピーカ１１０からリファレンス信号が放音されると、シャッタメガネ２００は、マイクロホン２１０でそのリファレンス信号を収音する（ステップＳ１１４）。
【００７５】
上記ステップＳ１１３で、キャリブレーション対象のスピーカ１１０からリファレンス信号が放音されると、タイミング保持部１５０は、キャリブレーション対象のスピーカ１１０からリファレンス信号が放音されたタイミングにおけるカウンタ１４０のカウンタ値を取得する（ステップＳ１１５）。また、シャッタメガネ２００は、マイクロホン２１０でリファレンス信号を収音したタイミングにおけるカウンタ２４０のカウンタ値を保持する（ステップＳ１１６）。
【００７６】
上記ステップ１１６で、シャッタメガネ２００がリファレンス信号を収音したタイミングにおけるカウンタ２４０のカウンタ値を保持すると、シャッタメガネ２００は、ＲＦ通信部２６０から、上記ステップＳ１１６で取得したカウンタ値を映像表示装置１００へ向けて無線送信によって通知する（ステップＳ１１７）。映像表示装置１００は、ＲＦ通信部１６０で、シャッタメガネ２００から送信されたカウンタ値を受信することで、シャッタメガネ２００がリファレンス信号を収音した際のカウンタ値を受け取る（ステップＳ１１８）。
【００７７】
上記ステップＳ１１５で放音時のカウンタ値を取得し、上記ステップＳ１１８でシャッタメガネ２００がリファレンス信号を収音した際のカウンタ値を受け取ると、映像表示装置１００は、距離演算部１７０が、放音・収音のタイミング差から、映像表示装置１００に接続されたスピーカ１１０とシャッタメガネ２００との間の距離を算出する（ステップＳ１１９）。
【００７８】
距離演算部１７０が、全てのスピーカ１１０とシャッタメガネ２００との間の距離を算出すると、音場同定演算部１８０が、シャッタメガネ２００の位置に適切な音場となるように音場同定処理を実行する（ステップＳ１２０）。
【００７９】
このように、映像表示装置１００は、リファレンス信号の放音・収音のタイミング差の情報を用いることで、映像表示装置１００に接続されたスピーカ１１０とシャッタメガネ２００との間の距離を算出することができる。
【００８０】
なお、音場同定演算部１８０は、音場同定処理の実行に際して、映像表示装置１００で立体視映像を表示する際の深度設定に同期して、音像の深度を変化させるようにしても良い。本発明の第１の実施形態にかかる映像表示装置１００は、立体視映像を表示する際の深度設定に同期して、音像の深度を変化させることで、立体視映像に応じた音場を生成することが可能になる。
【００８１】
以上説明したように本発明の第１の実施形態にかかる映像表示装置１００及びシャッタメガネ２００によれば、シャッタメガネ２００の着用をトリガとしてスピーカ１１０の音場キャリブレーション処理を実行することができる。スピーカ１１０からは、人間の耳には聞こえない、または聞こえにくい不可聴音域のリファレンス信号を放音させて、シャッタメガネ２００に設けたマイクロホン２１０で収音させる。これにより映像表示装置１００は、スピーカ１１０とシャッタメガネ２００との間の距離を測定することが出来、測定した結果から、シャッタメガネ２００の位置に最適な音場を形成することができる。
【００８２】
＜２．第２の実施形態＞
［２−１．映像表示装置及びシャッタメガネの構成］
上述した本発明の第１の実施形態では、映像表示装置１００で、映像表示装置１００に接続されたスピーカ１１０とシャッタメガネ２００との間の距離を算出していた。しかし、本発明においては、映像表示装置に接続されたスピーカとシャッタメガネとの間の距離は、映像表示装置ではなく、シャッタメガネ側で算出するようにしてもよい。本発明の第２の実施形態では、映像表示装置に接続されたスピーカとシャッタメガネとの間の距離を、シャッタメガネ側で算出する場合について説明する。
【００８３】
図７は、本発明の第２の実施形態にかかる映像表示装置１００’及びシャッタメガネ２００’の機能構成を示す説明図である。以下、図７を用いて、本発明の第２の実施形態にかかる映像表示装置１００’及びシャッタメガネ２００’の機能構成について説明する。
【００８４】
図７に示したように、本発明の第２の実施形態にかかる映像表示装置１００’は、発振回路１２０と、音声出力制御部１３０と、フィルタ部１３５と、カウンタ１４０と、ＲＦ通信部１６０と、音場同定演算部１８０と、を含んで構成される。なお、図７では、図１に示した６つのスピーカ１１０ａ〜１１０ｆを総称するものとしてスピーカ１１０を図示している。
【００８５】
また、図７に示したように、本発明の第２の実施形態にかかるシャッタメガネ２００’は、発振回路２２０と、制御部２３０と、フィルタ部２３５と、カウンタ２４０と、センサ部２５０と、タイミング保持部２５５と、ＲＦ通信部２６０と、距離演算部２７５と、を含んで構成される。
【００８６】
図７に示した、本発明の第２の実施形態にかかる映像表示装置１００’及びシャッタメガネ２００’の構成は、図２に示した、本発明の第１の実施形態にかかる映像表示装置１００及びシャッタメガネ２００の構成と比較して、映像表示装置１００からタイミング保持部１５０及び距離演算部１７０が削除され、シャッタメガネ２００にタイミング保持部２５５及び距離演算部２７５が追加された構成となっている。
【００８７】
以下では、本実施形態において本発明の第１の実施形態にかかる映像表示装置１００及びシャッタメガネ２００の構成から変更があった点について説明する。シャッタメガネ２００’のタイミング保持部２５５は、ＲＦ通信部２６０が受信した、キャリブレーション対象のスピーカ１１０からリファレンス信号が放音されたタイミングにおけるカウンタ１４０のカウンタ値の情報を保持しておくものである。
【００８８】
距離演算部２７５は、マイクロホン２１０でリファレンス信号を収音したタイミングにおけるカウンタ２４０のカウンタ値と、タイミング保持部２５５が保持している、キャリブレーション対象のスピーカ１１０からリファレンス信号が放音されたタイミングにおけるカウンタ１４０のカウンタ値とから、キャリブレーション対象のスピーカ１１０とシャッタメガネ２００との間の距離を算出するものである。
【００８９】
距離演算部２７５は、キャリブレーション対象のスピーカ１１０とシャッタメガネ２００との間の距離を算出すると、算出した距離の情報を、ＲＦ通信部２６０から映像表示装置１００へ無線送信させる。全てのスピーカ１１０とシャッタメガネ２００との間の距離の情報を受信した映像表示装置１００は、音場同定演算部１８０で音場同定処理を実行させる。これにより、映像表示装置１００は、シャッタメガネ２００で計算された、全てのスピーカ１１０とシャッタメガネ２００との間の距離の情報を用いて音場キャリブレーション処理を実行することが可能となる。
【００９０】
以上、図７を用いて、本発明の第２の実施形態にかかる映像表示装置１００’及びシャッタメガネ２００’の機能構成について説明した。次に、図７を用いて、本発明の第２の実施形態にかかる映像表示装置１００’及びシャッタメガネ２００’の動作について説明する。
【００９１】
［２−２．映像表示装置及びシャッタメガネの動作］
図８は、本発明の第２の実施形態にかかる映像表示装置１００’及びシャッタメガネ２００’の動作について示す流れ図であり、特に、本発明の第２の実施形態にかかるシャッタメガネ２００’による、スピーカ１１０とシャッタメガネ２００’との間の距離の計算処理を示す流れ図である。以下、図８を用いて本発明の第２の実施形態にかかる映像表示装置１００’及びシャッタメガネ２００’の動作について説明する。
【００９２】
まず映像表示装置１００’のＲＦ通信部１６０は、無線によって音場同定開始通知をシャッタメガネ２００’に対して送信する（ステップＳ２１１）。シャッタメガネ２００’は、映像表示装置１００’から無線送信された音場同定開始通知を受信する（ステップＳ２１２）。
【００９３】
次に、映像表示装置１００’は、キャリブレーション対象のスピーカ１１０からリファレンス信号を放音させる（ステップＳ２１３）。キャリブレーション対象のスピーカ１１０からのリファレンス信号の送信処理については第１の実施形態において上述した通りであるので、詳細な説明は省略する。
【００９４】
上記ステップＳ２１３で、キャリブレーション対象のスピーカ１１０からリファレンス信号が放音されると、シャッタメガネ２００’は、マイクロホン２１０でそのリファレンス信号を収音する（ステップＳ２１４）。マイクロホン２１０がキャリブレーション対象のスピーカ１１０からリファレンス信号を収音すると、距離演算部２７５は、マイクロホン２１０でリファレンス信号を収音したタイミングにおけるカウンタ２４０のカウンタ値を保持する（ステップＳ２１５）。
【００９５】
上記ステップＳ２１３で、キャリブレーション対象のスピーカ１１０からリファレンス信号が放音されると、ＲＦ通信部１６０は、キャリブレーション対象のスピーカ１１０からリファレンス信号が放音されたタイミングにおけるカウンタ１４０のカウンタ値を取得し（ステップＳ２１６）、当該カウンタ値をシャッタメガネ２００’に対して無線送信することで通知する（ステップＳ２１７）。
【００９６】
シャッタメガネ２００’は、ＲＦ通信部２６０で、映像表示装置１００’から送られてくる、キャリブレーション対象のスピーカ１１０からリファレンス信号が放音されたタイミングにおけるカウンタ１４０のカウンタ値を無線受信することで取得する（ステップＳ２１８）。当該カウンタ値はタイミング保持部２５５が保持した後、距離演算部２７５に送られる。
【００９７】
上記ステップＳ２１５で収音時のカウンタ値を取得し、上記ステップＳ２１８でキャリブレーション対象のスピーカ１１０からリファレンス信号が放音されたタイミングにおけるカウンタ１４０のカウンタ値を取得すると、シャッタメガネ２００’は、距離演算部２７５が、放音・収音のタイミング差から、映像表示装置１００に接続されたスピーカ１１０とシャッタメガネ２００’との間の距離を算出する（ステップＳ２１９）。
【００９８】
距離演算部２７５が、映像表示装置１００’に接続されたスピーカ１１０とシャッタメガネ２００’との間の距離を算出すると、シャッタメガネ２００’は、距離演算部２７５算出した当該距離の情報を、ＲＦ通信部２６０から映像表示装置１００’に対して無線送信により通知する（ステップＳ２２０）。
【００９９】
映像表示装置１００’は、ＲＦ通信部１６０で、シャッタメガネ２００’から通知されるスピーカ１１０とシャッタメガネ２００’との間の距離の情報を無線通信により受け取る（ステップＳ２２１）。そして、全てのスピーカ１１０とシャッタメガネ２００’との間の距離の情報が映像表示装置１００’に通知されると、映像表示装置１００’は、音場同定演算部１８０が、シャッタメガネ２００の位置に適切な音場となるように音場同定処理を実行する（ステップＳ１２０）。
【０１００】
このように、シャッタメガネ２００’は、リファレンス信号の放音・収音のタイミング差の情報を用いることで、映像表示装置１００に接続されたスピーカ１１０とシャッタメガネ２００との間の距離を算出し、映像表示装置１００’に距離の情報を通知することができる。
【０１０１】
以上説明したように本発明の第２の実施形態にかかる映像表示装置１００’及びシャッタメガネ２００’によれば、ユーザによるシャッタメガネ２００’の着用をトリガとして、映像表示装置１００’に接続されたスピーカ１１０の音場キャリブレーション処理を実行することができる。そして、スピーカ１１０からは、人間の耳には聞こえない、または聞こえにくい不可聴音域のリファレンス信号を放音させて、シャッタメガネ２００’に設けたマイクロホン２１０で収音させる。
【０１０２】
これにより、本発明の第２の実施形態にかかるシャッタメガネ２００’は、スピーカ１１０とシャッタメガネ２００’との間の距離を測定することが出来る。そして、本発明の第２の実施形態にかかるシャッタメガネ２００’が測定したスピーカ１１０とシャッタメガネ２００’との間の距離から、映像表示装置１００’は、シャッタメガネ２００’の位置に最適な音場を形成することができる。
【０１０３】
＜３．マイクロホンの位置＞
上述したように、各実施形態におけるシャッタメガネ２００、２００’には、リファレンス信号を収音するためのマイクロホン２１０が備えられているが、マイクロホン２１０を設ける位置は、ユーザに対する立体視映像の視聴を妨げない位置とすることが望ましい。次に、上述した各実施形態におけるシャッタメガネ２００、２００’でのマイクロホン２１０の設置例について説明する。図９は、上述した各実施形態におけるシャッタメガネ２００、２００’でのマイクロホン２１０の設置例を示す説明図である。
【０１０４】
図９では、シャッタメガネ２００において、テンプル２０１の液晶シャッタ（右目用画像透過部２１２及び左目用画像透過部２１４）部分に近い位置にマイクロホン２１０を設置した場合が図示されている。液晶シャッタに近い部分のテンプル２０１は、マイクロホン２１０が設けられて太さが増したとしても、シャッタメガネ２００の掛け心地には影響しにくい。また、ユーザの毛髪がマイクロホン２１０にかかりにくく、収音への影響を抑えることができる。
【０１０５】
そして、図９に示したようにマイクロホン２１０をシャッタメガネ２００に設置することで、両耳に近い位置でリファレンス信号の収音が可能なため、シャッタメガネ２００を着用するユーザ個人の頭部の形状等の個人差を吸収しやすい。また、図９に示したようにマイクロホン２１０をシャッタメガネ２００に設置することで、マイクロホン２１０を設置したことによってもユーザの視界を妨げることがない。
【０１０６】
図１０は、上述した各実施形態におけるシャッタメガネ２００、２００’でのマイクロホン２１０の別の設置例を示す説明図である。
【０１０７】
図１０では、シャッタメガネ２００において、両眼の液晶シャッタ（右目用画像透過部２１２及び左目用画像透過部２１４）間のブリッジ２０２にマイクロホン２１０を設置した場合が図示されている。図１０に示したように、ブリッジ２０２にマイクロホン２１０を設置することで、シャッタメガネ２００は頭部の中央位置でリファレンス信号を収音することができる。ユーザの毛髪がマイクロホン２１０にかかりにくく、収音への影響を抑えることができ、マイクロホン２１０を設置したことによってもユーザの視界を妨げることがない。
【０１０８】
＜４．複数ユーザの場合の音場同定処理＞
次に、シャッタメガネを着用するユーザが複数存在する場合の音場同定処理の一例を説明する。上記各実施形態においては、映像表示装置１００、１００’とシャッタメガネ２００、２００’との間の通信にＲＦを用いているので、シャッタメガネ２００、２００’が複数存在した場合であっても、個体識別が可能である。従って、映像表示装置１００は、複数ユーザがいる場合の音場同定処理を実行する際に、個々のシャッタメガネにキャリブレーションの重みを設定できるようにしてもよい。
【０１０９】
例えば、大人が着用するシャッタメガネには大きい重み、子どもが着用するシャッタメガネには小さい重みを設定するようにしてもよく、着用する人間に関係なく個別に重みを設定できるようにしてもよい。
【０１１０】
以下では、複数のシャッタメガネ２００が存在する場合に、各シャッタメガネ２００に重み付け設定がされている場合の音場調整について説明する。図１１は、シャッタメガネ２００が複数存在する場合において、各シャッタメガネ２００にそれぞれ重み付け設定がされている場合の音場調整について示す説明図である。
【０１１１】
映像表示装置１００は、シャッタメガネ２００との無線通信により、それぞれのシャッタメガネ２００に重み付け設定がされていることを取得できる。そして映像表示装置１００は、重み付けが最大に設定されているシャッタメガネ２００が、スピーカ１１０から出力される音声のスイートスポット（最良の聴取領域）に入っていることを条件に、当該スイートスポットに入るシャッタメガネ２００の数が最大となるように音場の調整を実行する。
【０１１２】
次に、シャッタメガネ２００が複数存在する場合において、各シャッタメガネ２００にそれぞれ重み付け設定がされていないときの音場調整について説明する。図１２は、シャッタメガネ２００が複数存在する場合において、各シャッタメガネ２００にそれぞれ重み付け設定がされていないときの音場調整について示す説明図である。
【０１１３】
映像表示装置１００は、シャッタメガネ２００との無線通信により、それぞれのシャッタメガネ２００に重み付け設定がされていないことを取得できる。そして映像表示装置１００は、スピーカ１１０から出力される音声のスイートスポットに入るシャッタメガネ２００の数が最大となるように音場の調整を実行する。
【０１１４】
このように、映像表示装置１００は、シャッタメガネ２００及びシャッタメガネ２００を着用するユーザが複数存在する場合には、複数のシャッタメガネ２００に対する重み設定の有無に応じて、適切な音場の調整を実行することが可能になる。
【０１１５】
図１３は、本発明の上記各実施形態にかかる映像表示装置１００及びシャッタメガネ２００の動作について示す流れ図であり、シャッタメガネ２００及びシャッタメガネ２００を着用するユーザが複数存在する場合の、映像表示装置１００による音場調整処理について示す流れ図である。以下、図１３を用いて、シャッタメガネ２００及びシャッタメガネ２００を着用するユーザが複数存在する場合の、映像表示装置１００による音場調整処理について説明する。
【０１１６】
映像表示装置１００は、所定のトリガ（例えば、図５で示したようなシャッタメガネ２００の着用等）により音場キャリブレーション処理を開始すると、キャリブレーション対象ではないスピーカ１１０からのリファレンス信号の放音を防ぐために、フィルタ部１３５のスイッチ１３８を端子Ｃに切り替えることで、リファレンス信号が含まれる音域を帯域遮断フィルタ１３７でカットする（ステップＳ２０１）。また、キャリブレーション対象のスピーカ１１０は、フィルタ部１３５のスイッチ１３８が端子Ａに切り替わることで、リファレンス信号のみを放音する（ステップＳ２０２）。
【０１１７】
キャリブレーション対象のスピーカ１１０がリファレンス信号を放音すると、複数の（Ｎ個の）シャッタメガネ２００は、それぞれ、マイクロホン２１０でリファレンス信号の収音を行う（ステップＳ２０３）。各シャッタメガネ２００は、マイクロホン２１０でリファレンス信号を収音すると、収音したことを知らせる収音情報を無線で映像表示装置１００へ送信する（ステップＳ２０４）。映像表示装置１００は、複数のシャッタメガネ２００からの収音情報の受信により、キャリブレーション対象のスピーカ１１０と、それぞれのシャッタメガネ２００との間の距離を計算で求めることができる。
【０１１８】
続いて映像表示装置１００は、全てのスピーカ１１０でキャリブレーション処理が終了したかどうかを判断する（ステップＳ２０５）。ステップＳ２０５の判断の結果、キャリブレーション処理の対象となるスピーカ１１０がまだ残っていれば、上記ステップＳ２０１に戻り、キャリブレーション対象ではないスピーカ１１０からのリファレンス信号の放音を防ぐために、フィルタ部１３５のスイッチ１３８を端子Ｃに切り替えることで、リファレンス信号が含まれる音域を帯域遮断フィルタ１３７でカットする。
【０１１９】
一方、ステップＳ２０５の判断の結果、全てのスピーカ１１０でキャリブレーション処理が終了していれば、続いて音場同定演算部１８０が、キャリブレーション対象のスピーカ１１０と、複数のシャッタメガネ２００との間の距離情報に基づいて、ユーザの視聴位置を算出するとともに、音場同定処理を実行して、複数のユーザの視聴位置に適した音場を形成する。
【０１２０】
音場同定演算部１８０が、複数のユーザの視聴位置に適した音場を形成するには、まず複数のシャッタメガネ２００の位置を算出する（ステップＳ２０６）。続いて音場同定演算部１８０は、複数のシャッタメガネ２００がそれぞれ重み付け設定されているかどうかを判断する（ステップＳ２０７）。
【０１２１】
上記ステップＳ２０７の判断の結果、複数のシャッタメガネ２００がそれぞれ重み付け設定されている場合には、音場同定演算部１８０は、重み付けが最大に設定されているシャッタメガネ２００が、スピーカ１１０から出力される音声のスイートスポット（最良の聴取領域）に入っていることを条件に、当該スイートスポットに入るシャッタメガネ２００の数が最大となるように音場の調整を実行する（ステップＳ２０８）。
【０１２２】
一方、上記ステップＳ２０７の判断の結果、複数のシャッタメガネ２００がそれぞれ重み付け設定されていない場合には、音場同定演算部１８０は、スピーカ１１０から出力される音声のスイートスポットに入るシャッタメガネ２００の数が最大となるように音場の調整を実行する（ステップＳ２０９）。
【０１２３】
このように、スピーカ１１０が形成する音場の調整を映像表示装置１００が実行することで、シャッタメガネ２００を着用するユーザが複数存在する場合であっても、シャッタメガネ２００の位置やシャッタメガネ２００への重み付け設定の有無によって、本発明の上記各実施形態にかかる映像表示装置１００、１００’は、スピーカ１１０から発せられる音声による最適な音場を形成することができる。
【０１２４】
＜５．まとめ＞
以上説明したように本発明の上記各実施形態にかかるシャッタメガネは、映像表示装置から発せられるリファレンス信号を収音するためのマイクロホンを備える。本発明の上記各実施形態にかかる映像表示装置は、上記シャッタメガネとの通信によって、キャリブレーション対象のスピーカと、シャッタメガネとの間の距離を算出する。そして、全てのスピーカとシャッタメガネとの間の距離を算出してシャッタメガネの位置を特定すると、上記映像表示装置は、シャッタメガネの位置に適した音場となるように音場同定処理を実行する。これにより、本発明の上記各実施形態にかかる映像表示装置は、シャッタメガネを着用しているユーザの位置に応じた適切な音場を形成することができる。
【０１２５】
本発明の上記各実施形態にかかる映像表示装置は、例えばシャッタメガネが着用された時点でキャリブレーション処理を開始するようにしてもよく、また例えば、表示されているコンテンツの内容を解析して適切なタイミングで開始するようにしてもよい。これにより、ユーザが明示的にキャリブレーション処理の開始を指示しなくても、上記映像表示装置は、自動的にキャリブレーション処理を開始することができる。また本発明の上記各実施形態にかかる映像表示装置は、シャッタメガネを着用したユーザによって映像表示装置がリモートコントローラ等で操作され、映像表示装置が表示するコンテンツが三次元映像に切り替わったタイミングでキャリブレーション処理を開始するようにしてもよい。
【０１２６】
なお、上記の実施形態で説明した一連の処理は、専用のハードウエアによって実行させても良いが、ソフトウエア（アプリケーション）により実行させても良い。一連の処理をソフトウエアに行わせる場合には、汎用又は専用のコンピュータにコンピュータプログラムを実行させることにより、上記の一連の処理を実現することができる。
【０１２７】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【符号の説明】
【０１２８】
１００    映像表示装置
１１０    スピーカ
１２０    発振回路
１３０    音声出力制御部
１３５    フィルタ部
１４０    カウンタ
１５０    タイミング保持部
１６０    ＲＦ通信部
１７０    距離演算部
１８０    音場同定演算部
２００    シャッタメガネ
２１０    マイクロホン
２２０    発振回路
２３０    制御部
２３５    フィルタ部
２４０    カウンタ
２５０    センサ部
２５５    タイミング保持部
２６０    ＲＦ通信部
２７５    距離演算部
【図１】
2012156939.tif 000003
【図２】
2012156939.tif 000004
【図３】
2012156939.tif 000005
【図４】
2012156939.tif 000006
【図５】
2012156939.tif 000007
【図６】
2012156939.tif 000008
【図７】
2012156939.tif 000009
【図８】
2012156939.tif 000010
【図９】
2012156939.tif 000011
【図１０】
2012156939.tif 000012
【図１１】
2012156939.tif 000013
【図１２】
2012156939.tif 000014
【図１３】
2012156939.tif 000015